(57)【要約】      （修正有）【課題】表示装置に備えた編集入力部によってコンテンツを編集することが可能な電子情報表示装置を提供する。【解決手段】複数のコンテンツを記憶するコンテンツ記憶部と、前記コンテンツの表示スケジュールを記憶するスケジュール記憶部と、前記コンテンツを表示装置へ送信する送信部と、前記表示装置から編集情報を受信する受信部と、前記編集情報に対応して前記表示スケジュールまたはコンテンツを編集する編集部とを備えるサーバーと、表示部と、前記サーバーと通信する通信部と、前記サーバーから受信した前記コンテンツを表示させる表示制御部と、前記表示スケジュールまたはコンテンツを含むスケジュール情報を編集する編集情報を入力する編集入力部とを備える表示装置とを備える。【選択図】図１
2011013957.tif 000002
【特許請求の範囲】
【請求項１】
サーバーと表示装置により構成され、
前記サーバーは、複数のコンテンツを記憶するコンテンツ記憶部と、前記コンテンツの表示スケジュールを記憶するスケジュール記憶部と、前記コンテンツを表示装置へ送信する送信部と、前記表示装置から編集情報を受信する受信部と、前記編集情報に対応して前記表示スケジュールまたはコンテンツを編集する編集部とを備え、
前記表示装置は、表示部と、前記サーバーと通信する通信部と、前記サーバーから受信した前記コンテンツを表示させる表示制御部と、前記表示スケジュールまたはコンテンツを含むスケジュール情報を編集する編集情報を入力する編集入力部とを備える
ことを特徴とする電子情報表示装置。
【請求項２】
前記編集入力部は、バーコードリーダ、ＲＦＩＤ、ＩＣカード、タッチパネルまたはキーボードよりなる請求項１に記載の電子情報表示装置。
【請求項３】
前記編集情報は、コンテンツの新規表示、削除、代替表示、追加表示の少なくとも１つを含む請求項１または２に記載の電子情報表示装置。
【請求項４】
前記コンテンツは、少なくとも商品の広告、宣伝または広報を行うための静止画像または動画像を含む請求項１に記載の電子情報表示装置。
【請求項５】
複数のコンテンツを記憶するコンテンツ記憶部と、前記コンテンツの表示スケジュールを記憶するスケジュール記憶部と、前記コンテンツを表示装置へ送信する送信部と、前記表示装置から編集情報を受信する受信部と、前記編集情報に対応して前記表示スケジュールまたはコンテンツを編集する編集部とを備えるサーバー
を備えることを特徴とする電子情報表示装置。
【請求項６】
表示部と、サーバーから表示スケジュール及びコンテンツを受信する受信部と、前記サーバーから受信した前記コンテンツを表示させる表示制御部と、前記表示スケジュールまたはコンテンツを含むスケジュール情報を編集する編集入力部と、前記編集入力部によって編集した編集情報を前記サーバーへ送信する送信部とを備える表示装置
を備えることを特徴とする電子情報表示装置。
【請求項７】
コンピュータによって
サーバーから表示装置へコンテンツを送信するコンテンツ送信ステップと、
前記サーバーから受信した前記コンテンツを表示装置に表示する表示ステップと、
前記表示スケジュールまたはコンテンツを含むスケジュール情報を編集する編集情報を入力する編集情報入力ステップと、
前記編集された編集情報を前記サーバーへ送信する編集情報送信ステップと、
前記編集情報に対応して前記表示スケジュールまたはコンテンツを編集する編集ステップと
を実行することを特徴とする電子情報表示方法。
【発明の詳細な説明】
【技術分野】
【０００１】
この発明は、店舗、売り場、病院、街頭、広場や駅などに設置された表示装置に情報を表示させる電子情報表示装置に関し、特に表示装置から編集情報を入力することが可能であり、その編集情報に基づいて、サーバーがスケジュール情報を編集する電子情報表示装置に関する。
【背景技術】
【０００２】
店舗、売り場、病院、街頭、広場や駅などに表示装置を設置し、電子ＰＯＰ(Point of   Purchase)広告によって、商品の販売促進或いは広報や案内が行われている。電子ＰＯＰ広告システムとして、放送型と通信型がある。
放送型ＰＯＰシステムは、サーバーによって決められたスケジュールに従って表示装置にコンテンツを表示するが、個々の端末側表示装置ではコンテンツを変更することができない。そのため、例えば売り切れになった商品を表示したり、価格変更する前の価格を表示したり、休診の診療科目を表示したり、店舗、売り場、病院、街頭、広場や駅など電子情報表示装置の設置場所の事情に合せた表示が行われず、不都合な場合がある。また、店舗、売り場、病院、街頭、広場や駅などに設置した表示装置によって、広告、広報または案内したいことがタイミングよく行われないことがある。
通信型ＰＯＰシステムは、顧客にバーコードのような商品コードを入力させて、その商品に対応する商品コンテンツを表示させるものであるが、通信型ＰＯＰシステムは顧客の要求に応じて商品コンテンツを表示するだけであり、単なるカタログとしての機能しかなく、広告効率が悪い。
【０００３】
ＰＯＰ広告システムは、例えば特許文献１及び２により公知である。
特許文献１は、商品に付されたＲＦＩＤ(Radio Frequency IDentification)タグに記録された識別情報を読取り、その識別情報に対応する商品コンテンツをデータベースから読み出して表示装置に表示させるものである。より詳細には、商品に付されたＲＦＩＤタグをＲＦＩＤリーダで読取り、商品の識別情報を取得して、識別情報と商品コンテンツを記録している商品情報データベースから、ＲＦＩＤリーダで読取った識別情報に基づき、商品コンテンツを取得して、これを表示装置に表示するものである。
また、特許文献２は、店頭の表示装置に顧客が希望する全ての商品の商品情報を表示し、顧客の商品購入を支援するものである。そのため各メーカは商品に関する商品情報をサーバーに登録し、商品のバーコード情報と対応付けてデータベースに格納する。顧客が所望の商品を取り出してバーコードをバーコードリーダに近づけると、バーコードが読取られ、そのバーコード情報に基づいてデータベースを検索し、商品情報を抽出して表示装置に表示するものである。
【先行技術文献】
【特許文献】
【０００４】
【特許文献１】特開２００６−３０４４４号公報
【特許文献２】特開２００３−１７３３４６号公報
【発明の開示】
【発明が解決しようとする課題】
【０００５】
上記のようにサーバーによって決められたスケジュールに従って表示装置でコンテンツを表示する場合は、個々の端末側表示装置でコンテンツを変更することができないので、不便であった。またバーコード、ＲＦＩＤタグまたはＩＣカードを読取り、その商品に対応する商品コンテンツを表示させる場合は、顧客の要求に応じて商品コンテンツを表示するだけであり、広告効率が悪かった。
本発明はこのような課題を解決するものであり、表示装置に編集入力部を備え、表示スケジュールまたはコンテンツの少なくとも一部を編集することが可能な電子情報表示装置及び電子情報表示方法を提供するものである。
【課題を解決するための手段】
【０００６】
本発明の電子情報表示装置は、上記課題を解決するため、サーバーと表示装置により構成され、前記サーバーは、複数のコンテンツを記憶するコンテンツ記憶部と、前記コンテンツの表示スケジュールを記憶するスケジュール記憶部と、前記コンテンツを表示装置へ送信する送信部と、前記表示装置から編集情報を受信する受信部と、前記編集情報に対応して前記表示スケジュールまたはコンテンツを編集する編集部とを備え、前記表示装置は、表示部と、前記サーバーと通信する通信部と、前記サーバーから受信した前記コンテンツを表示させる表示制御部と、前記表示スケジュールまたはコンテンツを含むスケジュール情報を編集する編集情報を入力する編集入力部とを備えることを特徴とする。
【０００７】
ここで、コンテンツは、店舗、売り場、病院、街頭、広場や駅などに設置された表示装置に表示させ、商品の広告、宣伝または広報を行うための静止画像または動画像である。これら情報以外に、商品の製造場所、生産地、生産者、原材料、成分表、カロリー、流通経路またはクーポンの有無などの情報であってもよい。また、表示スケジュールは上記コンテンツの表示順序、または表示時間を設定する情報である。また、編集入力部は、バーコードリーダ、ＲＦＩＤ、ＩＣカード、タッチパネル、またはキーボードよりなる。また編集情報は、コンテンツの新規表示、削除、代替表示、追加表示の少なくとも１つを含む。
これにより、サーバーから表示装置へ表示スケジュールとコンテンツを含むスケジュール情報が送信され、表示装置はサーバーから受信したスケジュール情報に従ってコンテンツを表示する。一方、表示装置は編集入力部を備え、編集入力部によってコンテンツの新規表示、削除、代替表示、追加表示するように編集することが可能であり、その編集情報がサーバーに送信される。サーバーは上記編集情報に基づいて表示スケジュール及びコンテンツを自動的に編集する。従って、サーバーによって予め編集したスケジュールとコンテンツにより効率のよい広告或いは広報が実施されると同時に、表示装置の編集入力部から入力した編集情報に対応した表示スケジュールによってコンテンツが表示される。このようにして、個々の端末側表示装置はコンテンツを編集することができる。これにより、電子情報表示装置の各設置場所の事情に合せた表示がタイミングよく行われる。
【０００８】
また、本発明は、上記課題を解決するため、別の観点では、サーバーを備える電子情報表示装置であり、サーバーは、複数のコンテンツを記憶するコンテンツ記憶部と、前記コンテンツの表示スケジュールを記憶するスケジュール記憶部と、前記コンテンツを表示装置へ送信する送信部と、前記表示装置から編集情報を受信する受信部と、前記編集情報に対応して前記表示スケジュールまたはコンテンツを編集する編集部とを備えることを特徴とする。
このように、サーバーは、表示装置から編集情報を受信し、編集情報に対応してスケジュール及びコンテンツを自動的に編集するので、表示装置の設置場所の事情に合せた表示を行うことが可能になる。
【０００９】
また、上記課題を解決するため、別の観点では、本発明は、表示装置を備える電子情報表示装置であり、表示装置は、表示部と、サーバーから表示スケジュール及びコンテンツを受信する受信部と、前記サーバーから受信した前記コンテンツを表示させる表示制御部と、前記表示スケジュールまたはコンテンツを含むスケジュール情報を編集する編集入力部と、前記編集入力部によって編集した編集情報を前記サーバーへ送信する送信部とを備えることを特徴とする。
このように、表示装置が編集入力部を備えるので、コンテンツの新規表示、削除、代替表示、追加表示するように編集することが可能になる。
【００１０】
また、本発明は、上記課題を解決するため、別の観点では、電子情報表示方法であり、コンピュータによって、サーバーから表示装置へコンテンツを送信するコンテンツ送信ステップと、前記サーバーから受信した前記コンテンツを表示装置に表示する表示ステップと、前記表示スケジュールまたはコンテンツを含むスケジュール情報を編集する編集情報を入力する編集情報入力ステップと、前記編集された編集情報を前記サーバーへ送信する編集情報送信ステップと、前記編集情報に対応して前記表示スケジュールまたはコンテンツを編集する編集ステップとを実行することを特徴とする。
これにより、サーバーによって予め編集した表示スケジュールとコンテンツにより効率のよい広告或いは広報が実施され、表示装置の編集入力部から編集情報が入力されると、それに対応して表意スケジュール及びコンテンツが自動編集されるので、個々の端末側表示装置に対応したコンテンツを表示することができる。
【発明の効果】
【００１１】
本発明によれば、表示装置に備えた編集入力部によって、表示スケジュールまたはコンテンツの少なくとも一部を編集することが可能な電子情報表示装置及び電子情報表示方法が提供される。
【図面の簡単な説明】
【００１２】
【図１】本発明の電子情報表示装置のブロック図を示す。
【図２】本発明の電子情報表示装置によって作成されるスケジュール情報の説明図を示す。
【図３】本発明の電子情報表示装置を構成する表示装置のタイムチャート図を示す。
【図４】本発明の電子情報表示装置を構成するサーバーのタイムチャート図を示す。
【図５】本発明の電子情報表示装置のサーバーにおける編集動作を説明するタイムチャート図を示す。
【発明を実施するための形態】
【００１３】
以下、本発明の電子情報表示装置について図面を参照して説明する。
図１は、本発明の電子情報表示装置のブロック図を示す。図１に示すように、本発明の電子情報表示装置は、サーバー１０と、複数の表示装置２０とから構成される。図１に示す電子情報表示装置は、ネットワーク４０によってサーバー１０と複数の表示装置２０を接続する場合を示すが、サーバー１０と表示装置２０が一体または近接して配置され、ネットワーク４０によって接続を必要としない場合もある。
【００１４】
サーバー１０は、コンテンツ記憶部１１、スケジュール記憶部１２、スケジュール編集部１３、通信部１４、入力部１５及び出力部１６を備える。サーバー１０は、例えばパーソナルコンピュータによって構成することが可能である。サーバー１０は、上記の各構成部分以外に、サーバー１０を動作させるためのソフトウエアを記憶し、このソフトウエアを読み出してサーバー１０を順次動作させる制御部などを備える。サーバー１０は、店舗のバックヤード、管理室などに設置され、サーバー管理者によってスケジュール情報が入力または編集される。
【００１５】
コンテンツ記憶部１１は、ＨＤＤ、ＲＯＭ、ＲＡＭなどからなり、表示装置２０で表示するために、商品の広告、宣伝、広報用の静止画像または動画像からなる表示コンテンツ及びそのコードを複数記憶する。このような表示コンテンツ以外に、商品の製造場所、生産地、生産者、原材料、成分表、規格表、説明書、カロリー、賞味期限、消費期限、アレルギー情報、流通経路、クーポンの有無または割引情報などの情報であってもよい。商品が食材である場合は、当該食材によって調理可能なメニュー、また当該食材に不足する栄養素、または不足する栄養素を補うお勧め食材のような情報を記憶してもよい。また、商品が服装品である場合は、その服装と組み合わせる他の服装品に関する情報であってもよい。更に、病院に設置される表示装置のために、診療科目、診療時間、担当医員、待ち時間または注意事項などの情報でもよい。更には、購入した商品の合計金額を表示したり、計算したりするサービスを提供してもよい。以上のようなコンテンツは、例示であり、全てを記憶してもよいし、一部であってもよく、表示装置の設置場所、情報表示の利用に応じて種々のコンテンツを記憶し、利用するとよい。コンテンツ記憶部１１は、外部記憶装置や通信により他のデータベースから表示コンテンツを追加したり、削除したりできることが望ましい。
スケジュール記憶部１２は、ＲＡＭのような書換可能な記憶装置よりなり、表示装置に表示するコンテンツの表示順序または時間とコンテンツの識別コードを含むスケジュール情報を記憶する。表示装置が複数存在する場合は、複数の表示装置に対応して、各表示装置の認識コードのような属性情報とともに、スケジュール情報を記憶する。属性情報としては、表示装置の設置場所や表示装置の大きさのような規格情報を含んでもよい。
【００１６】
スケジュール編集部１３は、ＲＡＭのような書換可能な一時記憶装置よりなり、サーバー管理者が入力部１５より入力した編集情報に従い、表示装置に表示するコンテンツ及びコンテンツの表示順序または表示時間を決定する表示スケジュール含むスケジュール情報を編集する。スケジュール情報は、全ての表示装置に対して同じであってもよいし、個々の表示装置あるいはグループ分けした表示装置に対応したスケジュール情報であってもよい。このスケジュール編集部１３は、サーバー管理者が入力する外に、表示装置から送信された編集情報に基づいてコンテンツの新規表示、削除、代替表示または追加表示のようなスケジュール情報を自動的に作成する。
通信部１４は、有線または無線によりネットワーク４０を介して、サーバー１０と表示装置２０を接続し、スケジュール情報を送信し、編集情報を受信する。ネットワーク４０は、店舗内、所定の地域内、または全国を接続する公衆または専用ネットワークである。
入力部１５は、サーバー管理者がスケジュールを入力し、または編集する手段であり、キーボード、マウス、タッチパネルよりなる。更に、バーコードリーダ、ＲＦＩＤリーダを備えてもよい。また音声信号を入力するためマイク及び音声入力端子をそなえてもよい。
出力部１６は、代表的には液晶表示装置のような表示装置であり、サーバー１０の動作を確認し、サーバー１０の入力情報、出力情報を確認するために使用される。また、音声出力するためスピーカを備える。
【００１７】
表示装置２０は、１つ以上備え、店舗、売り場、病院、街頭、広場や駅などに設置される。これら設置場所は例示であり、これ以外に設置しもよい。表示装置２０は全てが同じ規格であっても、異なる規格であってもかまわない。
表示装置２０は、通信部２１、表示制御部２２、表示部２３、記憶部２４、ユーザーインターフェイス２５及びバーコードリーダ２６を備える。表示装置２０は、例えばパーソナルコンピュータによって構成することが可能であり、上記の各構成部分以外に、表示装置２０を動作させるためのソフトウエアを記憶し、このソフトウエアを読み出して表示装置２０を順次動作させる制御部などを備える。
【００１８】
上記通信部２１は、上記サーバー１０からスケジュール情報を受信する受信部と、表示装置から編集情報を送信する送信部を備える。
表示制御部２２は、表示部２３に表示スケジュールに従って表示部２３にコンテンツを表示させるための制御部である。
表示部２３は、例えば液晶表示装置、プラズマ表示装置、または有機ＥＬ表示装置よりなり、コンテンツを表示する。表示部２３は、図１（ｂ）に示すように、表示画面２３ａとバーコードリーダ２６を備える。また音声出力するためスピーカを備える。
記憶部２４は、ＨＤＤ、ＲＯＭ、ＲＡＭなどを含み、サーバー１０から送信された表示スケジュール及びコンテンツを含むスケジュール情報を記憶する。スケジュール情報以外に、ユーザーインターフェイス２５またはバーコードリーダ２６より入力された編集情報も記憶する。
ユーザーインターフェイス２５は、タッチパネル、スキャナ装置、テンキー、キーボード、決定キーまたはマウスよりなり、コンテンツの新規表示、削除、代替表示、または追加表示のような編集情報を入力する部分である。
バーコードリーダ２６は、商品３０に付されたバーコード３１を読取る部分である。商品にＲＦＩＤタグまたはＩＣカードが付される場合は、ＲＦＩＤリーダまたはＩＣカードリーダであってもよい。また、カメラを備え、カメラで撮影した画像を解析して商品コードを読取ってもよい。ここで、商品３０は、当該商品に付されたタグ、包装、カタログ、商品リストを含む総称であり、より詳細には、当該商品のバーコード、ＲＦＩＤタグあるいはＩＣカードが付されたものである。
ユーザーインターフェイス２５及びバーコードリーダ２６は、表示装置２０の入力部を構成し、タッチパネル、スキャナ装置、テンキー、キーボード、マウス、バーコードリーダ、ＲＦＩＤ、またはＩＣカードは全部備えてもよいが、バーコードリーダ２６とタッチパネルのように一部を備えるだけであってもかまない。
【００１９】
本発明の電子情報表示装置は、以上の構成よりなり、サーバー１０は、サーバー管理者によって作成されたスケジュール情報Ａをスケジュール記憶部１２に記憶する。スケジュール情報Ａは、図２（ａ）に示すように、コンテンツａ１〜ａ５の再生順を指示する再生順の欄、各コンテンツに付されたバーコードを記憶するバーコード欄、各コンテンツの識別コードを記憶するコンテンツ欄を有する。バーコード欄とコンテンツ欄は、同一のコンテンツを指しているので、データとしてはどちらか一方でもよいし、照合のため両方を備えてもよい。コンテンツ欄に挿入されるコンテンツａ１〜コンテンツａ５は、コンテンツの識別情報のような属性情報を指す。例えば、図２（ａ）に示すように、スケジュール情報は、再生順１〜５に、コンテンツａ１〜コンテンツａ５があり、各コンテンツに付されたバーコードは「０００００００１」〜「０００００００５」であることを示す。図２（ａ）は、再生順を設定するが、再生時間を設定してもよい。
このようなスケジュール情報Ａは、入力部１５を用いて、コンテンツ記憶部１１に記憶されたコンテンツを読み出して表示部１６に表示させ、コンテンツの表示順序を順次指定することにより作成することができる。またはコンテンツリストを表示部１６に表示させ、コンテンツの表示順序を順次指定することにより作成することができる。スケジュール情報Ａには、コンテンツを表示させる表示装置を指定するため、表示装置の認識コードを含む。
【００２０】
サーバー１０は、スケジュール記憶部１２に記憶されたスケジュール情報Ａを通信部１１によって表示装置２０へ送信する。つまり、スケジュール情報Ａは、図２（ａ）の再生順のような表示スケジュールと、バーコードは「０００００００１」〜「０００００００５」と、コンテンツａ１〜コンテンツａ５を送信する。また、コンテンツａ１〜コンテンツａ５に対応するコンテンツをコンテンツ記憶部１１から読み出し、圧縮して送信する。
【００２１】
表示装置２０は、通信部２１によりサーバー１０から送信されたスケジュール情報Ａを受信し、記憶部２４に記憶する。この受信の際に、通信部２１は当該表示装置の認識コードを識別して受信する。表示制御部２２は、記憶部２４に記憶されたスケジュール情報Ａを読み出し、スケジュール情報Ａに従って、コンテンツａ１からコンテンツａ５に対応するコンテンツをデコードし、順次表示部２３に表示させる。あるいは再生時間に従って各コンテンツを表示する。
【００２２】
次に、表示装置によってスケジュール情報を編集する場合を説明する。
売り場または店舗の店員または責任者は、売りたい商品を表示装置２０に表示させるため、商品３０に付されたバーコード３１をバーコードリーダ２６によって読取ることにより、バーコード情報Ｂ１を得る。そして、編集方法Ｃを選択する。編集方法Ｃの選択は、ユーザーインターフェイス２５によって行う。ユーザーインターフェイス２５がタッチパネルまたはマウスである場合は、表示部２３に表示された「新規」、「削除」、「追加」または「代替」に触ることにより選択する。またユーザーインターフェイス２５がキーボードである場合は、「新規」、「削除」、「追加」または「代替」を入力する。
表示装置２０は、上記のようにして読取ったバーコード情報Ｂ１と、編集方法Ｃに基づいて編集情報Ｄを作成する。編集情報Ｄは、例えば図２（ｂ）に示すように、領域ＤＡ、領域ＤＢ及び領域ＤＣを有するデータフォーマットよりなる。図２（ｂ）の編集情報は、領域ＤＡに商品に付されたバーコードを読取って得たバーコード情報Ｂ１が挿入される。領域ＤＢは、編集方法が挿入される領域であり、「新規」、「削除」、「追加」、「代替」の情報が挿入される。領域ＤＣは、編集方法が代替の場合に使用される領域であり、代替される商品のバーコード情報Ｂ２が挿入される。バーコード情報Ｂ２は、代替される商品に付されたバーコードを読取るか、コンテンツを選択することにより入力する。
【００２３】
例えば、編集方法Ｃが「新規」である場合、図２(ｃ)に示す編集情報Ｄ１が作成される。図２（ｃ）に示すように、商品に付されたバーコードを読取ることによって取得したバーコード情報Ｂ１「０００００００６」は、データフォーマットの領域ＤＡに挿入される。そして、「新規」と入力された編集情報Ｃはデータフォーマットの領域ＤＢに挿入される。編集方法が新規である場合は、代替するコンテンツがないので、データフォーマットの領域ＤＣは空欄である。
このようにして作成された編集情報Ｄ１は、通信部２１からサーバー１０の通信部１４に送信される。スケジュール編集部１３は編集情報Ｄ１を用いて、図２(ｃ)に示すようなスケジュール情報Ａ１を作成する。即ち、スケジュール編集部１３は、バーコード情報「０００００００６」に基づいてコンテンツ記憶部１１からコンテンツｂ１を抽出し、コンテンツｂ１を取得する。そして、再生順「１」、バーコード「００００００６」、コンテンツＡ１「コンテンツｂ１」よりなるスケジュール情報Ａ１を作成する。
【００２４】
編集方法Ｃが「削除」である場合、図２(ｄ)に示す編集情報Ｄ２が作成される。図２（ｄ）に示すように、商品に付されたバーコードを読取ることによって取得したバーコード情報Ｂ１は、データフォーマットの領域ＤＡに挿入される。そして、「削除」と入力された編集情報はデータフォーマットの領域ＤＢに挿入される。編集方法が削除である場合は、代替するコンテンツがないので、データフォーマットの領域ＤＣは空欄である。
このようにして作成された編集情報Ｄ２は、表示装置２０からサーバー１０に送信され、スケジュール編集部１３は、図２(ｄ)に示すようなスケジュール情報Ａ２を作成する。即ち、スケジュール編集部１３は、バーコード情報「０００００００２」の再生順の欄を空欄にする。このように、再生順の欄を空欄にする以外に、コンテンツａ２を含む欄を削除してもよい。これにより、コンテンツａ２は、再生されず、コンテンツａ１、ａ２、ａ３及びａ５が順次再生される。
【００２５】
編集方法Ｃが「代替」である場合、図２(ｅ)に示す編集情報Ｄ３が作成される。図２（ｅ）に示すように、表示したい商品に付されたバーコードを読取ることによって取得したバーコード情報Ｂ１は、データフォーマットの領域ＤＡに挿入される。そして、「代替」と入力された編集方法Ｃはデータフォーマットの領域ＤＢに挿入される。編集方法が代替である場合は、代替される商品のバーコードを読取ったバーコード情報Ｂ２、または代替されるコンテンツを選択することにより取得したコンテンツ情報Ｂ２を、データフォーマットの領域ＤＣに挿入する。
このようにして作成された編集情報Ｄ３は、表示装置２０からサーバー１０に送信され、スケジュール編集部１３は、図２(ｃ)に示すようなスケジュール情報Ａ３を作成する。即ち、スケジュール編集部１３は、バーコード情報「０００００００４」をバーコード情報「０００００００６」に入れ替え、コンテンツａ４をコンテンツｂ１に入れ替える。
【００２６】
編集方法Ｃが「追加」である場合、図２(ｆ)に示す編集情報Ｄ４が作成される。図２（ｆ）に示すように、商品に付されたバーコードを読取ることによって取得したバーコード情報Ｂ１は、データフォーマットの領域ＤＡに挿入される。そして、「追加」と入力された編集方法Ｃはデータフォーマットの領域ＤＢに挿入される。編集方法Ｃが追加である場合は、代替するコンテンツがないので、データフォーマットの領域ＤＣは空欄である。
このようにして作成された編集情報Ｄ４は、表示装置２０からサーバー１０に送信され、スケジュール編集部１３は、図２(ｆ)に示すようなスケジュール情報Ａ４を作成する。即ち、スケジュール編集部１３は、バーコード情報「０００００００６」を再生順６としてバーコード情報と、そのコンテンツｂ１をコンテンツの欄に加える。
この追加の場合、再生順６に追加したが、表示部２０で再生順番を入力することによって再生順１〜５の何れかに順位を指定して追加してもよい。
【００２７】
以上には、店員または店舗の責任者が表示装置から編集情報Ｄを作成する場合を説明したが、顧客が「新規」、「削除」、「追加」または「代替」を入力してもよい。本発明のサーバーは、コンテンツ記憶部１１に、商品の広告、宣伝、広報用の静止画像または動画像の外に、商品の製造場所、生産地、生産者、原材料、成分表、規格表、説明書、カロリー、賞味期限、消費期限、アレルギー情報、流通経路、クーポンの有無、割引情報、当該食材によって調理可能なメニュー、当該食材に不足する栄養素、不足する栄養素を補うお勧め食材、当該服装と組み合わせる他の服装品情報、当該病院の診療科目、診療時間、担当医員、待ち時間または注意事項、購入した商品の合計金額、計算サービスなどの情報も記憶しているので、これらの情報を表示させるため、「詳細情報の表示」の選択画面を表示し、選択できるようにする。「詳細情報の表示」を選択した場合は、詳細情報の項目を表示し、これを選択するようにする。また、編集後、元のＰＯＰ表示に戻ることができるように、編集情報として「戻る」を表示し、これを選択できるようにする。
また、上記では商品コードは、バーコードリーダによって読取ったが、商品にＲＦＩＤタグが付されている場合は、ＲＦＩＤリーダを使用し、ＩＣカードが付されている場合はＩＣカードリーダを使用するとよい。
【００２８】
以上のようにして作成された新しいスケジュール情報Ａ１〜Ａ４は、サーバー１０から表示装置２０へ送信され、表示装置２０は新しいスケジュール情報Ａ１〜Ａ４に従ってコンテンツを表示する。
【００２９】
図３は、表示装置２０のフローチャートを示す。
図３に示すように、ステップＳ１では、表示装置２０はサーバー１０からスケジュール情報Ａを受信する。受信したスケジュール情報Ａは、ステップＳ２で、記憶部２４に記憶する。次に、ステップＳ３で、表示装置２０はスケジュール情報Ａに含まれたコンテンツを読み出して、スケジュール情報Ａの再生順通りコンテンツを表示する。スケジュール情報Ａが表示時間を設定している場合は、表示時間通りに表示する。
【００３０】
次に、ステップＳ４で、表示装置２０は、編集情報Ｄの入力があるか否か判断する。入力がなければ、ステップＳ１に戻る。編集情報Ｄの入力がある場合、ステップＳ５に移行し、商品３０に付されたバーコード３１をバーコードリーダ２６によって読取る。これによりバーコード情報Ｂ１を取得する。ステップＳ６では、表示部２３に編集画面を表示する。例えば、表示画面は、図３中に示すように、「新規」、「削除」、「代替」、「追加」、「詳細情報の表示」または「戻る」を表示し、「何れかの番号を選択して下さい」を表示する。そして、ステップＳ７で、マウスまたはタッチパネルを使用して編集方法Ｃを選択する。ステップＳ６、Ｓ７のように編集画面を表示するのに代えて、直接キーボードから編集方法Ｃを入力するようにしてもよい。「詳細情報の表示」及び「戻る」は、「新規」、「削除」、「代替」、または「追加」とともに選択してもよい。
編集方法Ｃが代替である場合、ステップＳ８は、ＹＥＳと判断し、ステップＳ９で、代替される商品のバーコードを読取り、バーコード情報Ｂ２を取得する。次にステップＳ１０では、ステップＳ５で取得したバーコード情報Ｂ１と、ステップＳ９で代替される商品から読取られたバーコード情報Ｂ２を元にして、図２（ｅ）に示した編集情報Ｄ３を作成する。作成された編集情報Ｄ３はステップＳ１１で、サーバー１０へ送信される。「詳細情報の表示」及び「戻る」が選択された場合は、詳細情報の表示及び戻るの情報も送信する。
【００３１】
編集方法Ｃが代替でない場合、即ち新規、削除、追加である場合は、ステップＳ１２で、ステップＳ５で取得したバーコード情報Ｂ１と、ステップＳ７で入力された編集方法Ｃ（新規、削除、追加）を元にして、図２（ｃ）（ｄ）または（ｆ）に示した編集情報Ｄ１、Ｄ２またはＤ４を作成する。作成された編集情報Ｄ１、Ｄ２またはＤ４はステップＳ１１で、サーバー１０へ送信される。「詳細情報の表示」または「戻る」が選択された場合は、詳細情報の表示または戻るの情報も送信する。
【００３２】
図４は、サーバー１０のフローチャートを示す。図４に示すように、ステップＳ２１では、サーバーはスケジュール情報Ａを確認する。このスケジュール情報Ａは、図２（ａ）に示すスケジュール情報である。ステップＳ２２では、表示装置へ送信するスケジュール情報を決定する。表示装置が複数あり、各表示装置に個別のスケジュール情報を送信する場合は、表示装置の識別コードを含む属性情報とともに送信する。次にステップＳ２３では、スケジュール情報Ａを表示装置２０へ送信する。
【００３３】
ステップＳ２４では、表示装置２０から編集情報Ｄを受信する。ステップＳ２５では、編集情報の有無を判断する。編集情報ＤがなければステップＳ２１に戻る。編集情報Ｄがあれば、ステップＳ２６に移行し、スケジュール編集部１３は、編集情報Ｄに含まれるバーコード情報Ｂ１を使用して、コンテンツ記憶部１１を検索し、対応するコンテンツｂ１を抽出する。編集情報が「代替」である場合は、データフォーマットの領域ＤＣに含まれるバーコード情報Ｂ２に対応するコンテンツａ４も抽出する。
次に、ステップＳ２７では、現在のスケジュール情報Ａを読み込む。そして、ステップＳ２８では、スケジュール情報Ａを編集する。ステップＳ２８のスケジュール情報の編集は図５を用いて説明する。その後、ステップＳ２９では、編集方法に「戻る」が選択された場合は、所定時間経過後、ステップＳ２１に戻る。
【００３４】
図５は、スケジュール編集部１３の処理を説明するフローチャートである。
上記ステップＳ２８は、ステップＳ３１〜Ｓ３７のように処理される。即ち、ステップＳ３１は、図４のステップＳ２８に含まれる編集情報Ｄが新規、削除、代替、追加の何れかを判断する。新規の場合は、ステップＳ３６に移行する。削除の場合は、ステップＳ３７に移行する。代替の場合は、ステップＳ３２に移行する。追加の場合は、ステップＳ３５に移行する。
【００３５】
新規の場合は、編集情報Ｄ１であるので、ステップＳ３６に移行し、スケジュール情報Ａに含まれる全てのコンテンツ情報ａ１〜ａ５を削除し、ステップＳ３５に移行する。ステップＳ３５は、スケジュール情報Ａに図４のステップＳ２６で取得したコンテンツｂ１を挿入する処理である。この処理により、図２（ｃ）に示す新たなスケジュール情報Ａ１が作成される。
【００３６】
削除の場合は、編集情報Ｄ２であるので、ステップＳ３７に移行し、スケジュール情報Ａに含まれるコンテンツ情報ａ１〜ａ５から、図４のステップＳ２６で取得したコンテンツａ２の再生順を削除する。または、コンテンツａ２を含む欄を削除する。この処理により、図２（ｄ）に示す新たなスケジュール情報Ａ２が作成される。
【００３７】
代替の場合は、編集情報Ｄ３であるので、ステップＳ３２に移行し、図４のステップＳ２６のコンテンツｂ１を取得する。次に、ステップＳ３３では、スケジュール情報Ａにコンテンツｂ１を挿入する。そして、ステップＳ３４では、スケジュール情報のコンテンツａ４を削除する。この処理により、図２（ｅ）に示す新たなスケジュール情報Ａ３が作成される。
【００３８】
追加の場合は、編集情報Ｄ４であるので、ステップＳ３５に移行し、図４のステップＳ２６のコンテンツｂ１を取得し、スケジュール情報Ａにコンテンツｂ１を挿入する。この処理により、図２（ｆ）に示す新たなスケジュール情報Ａ４が作成される。
【００３９】
ステップＳ２４で受信した編集情報が「詳細情報の表示」である場合、詳細情報の表示項目をキーワードにして、コンテンツ記憶部１１を検索し、要求された詳細情報の項目に対応する情報を抽出する。そして、詳細情報の項目に対応する情報を、例えばスケジュール情報のコンテンツ欄に挿入するように編集する。これにより、詳細情報を表示させるための新たなスケジュール情報が作成される。
【００４０】
以上のようにして、新たなスケジュール情報Ａが作成されると、次のステップＳ２９へ移行する。
【符号の説明】
【００４１】
１０  サーバー
１１  コンテンツ記憶部
１２  スケジュール記憶部
１３  スケジュール編集部
２０  表示装置
２２  表示制御部
２３  表示部
２４  記憶部
２５  ユーザーインターフェイス
２６  バーコードリーダ
３０  商品
３１  バーコード
【図１】
2011013957.tif 000003
【図２】
2011013957.tif 000004
【図３】
2011013957.tif 000005
【図４】
2011013957.tif 000006
【図５】
2011013957.tif 000007